(57)【要約】【課題】接続された電子機器から送信される多数のチャンネルからユーザが所望のチャンネルを選択することを容易にするとともに接続される電子機器を一括操作する。【解決手段】１つの表示領域を主領域（メイン画面とも記す。）と少なくとも１つの副領域（サブ画面とも記す。）とに分割して、分割された領域毎に異なる映像が表示可能な多画面機能を有する装置において、接続された外部機器に関連する操作を、この多画面機能を用いたＧＵＩ（グラフィカルユーザインターフェイス）によって行えるようする。この表示装置は、ＢＳ放送チューナ装置、ＣＳ放送チューナ装置のような外部機器から複数の映像信号及び音声信号を入力し、主領域と少なくとも１つの副領域とに分割される表示領域にこれら複数の映像信号を割り当てて表示し、操作部においてユーザから指定された領域に表示される映像信号の送信元である電子機器を操作する操作信号を電子機器に送信する。【選択図】図１
2005269113.tif 000002
【特許請求の範囲】
【請求項１】
外部から複数の映像信号及び音声信号を入力する信号入力手段と、
入力した映像信号を表示する表示手段と、
上記表示手段の表示領域を主領域と少なくとも１つの副領域とに分割し上記複数の映像信号を各領域に割り当てる表示処理手段と、
上記表示領域における主領域又は副領域を選択する操作入力のための操作手段と、
上記映像信号及び音声信号の送信元である電子機器を操作する操作信号を記憶する機器操作信号記憶手段と、
上記操作手段にて選択された領域に表示される映像信号の送信元である電子機器を操作する操作信号を上記電子機器に送信する操作信号送信手段と
を備えることを特徴とする表示装置。
【請求項２】
上記表示処理手段は、上記操作手段にて選択された領域を動画像にて表示し該選択領域以外の領域を静止画像にて表示することを特徴とする請求項１記載の表示装置。
【請求項３】
上記信号入力手段として、上記主領域に表示される映像信号を含む放送波のチャンネルを選局する主選局手段と、上記副領域に表示される映像信号を含む放送波のチャンネルを選局する副選局手段とを備えることを特徴とする請求項１記載の表示装置。
【請求項４】
上記複数の映像信号及び音声信号は、互いに形式が異なる放送波にて搬送されることを特徴とする請求項１記載の表示装置。
【請求項５】
上記複数の映像信号及び音声信号には、記録媒体から再生される映像信号及び音声信号が含まれることを特徴とする請求項１記載の表示装置。
【請求項６】
上記信号送信手段は、上記操作信号を赤外線信号として上記電子機器に出力することを特徴とする請求項１記載の表示装置。
【請求項７】
上記信号生成手段は、ＳＩＲＣＳ（Serial Infrared Remote Control System）に基づいて操作信号を生成することを特徴とする請求項６記載の表示装置。
【請求項８】
複数の映像信号及び音声信号を入力する信号入力工程と、
入力した映像信号を表示手段に表示する際、該表示手段の表示領域を主領域と少なくとも１つの副領域とに分割し、上記映像信号毎に各領域に割り当てて表示する表示処理工程と
を有することを特徴とする表示方法。
【請求項９】
上記表示処理工程では、上記操作工程にて選択された領域が動画像にて表示され、該選択領域以外の領域が静止画像にて表示されることを特徴とする請求項８記載の表示方法。
【請求項１０】
上記複数の映像信号及び音声信号は、互いに形式が異なる放送波にて搬送されることを特徴とする請求項８記載の表示方法。
【請求項１１】
上記複数の映像信号及び音声信号には、記録媒体から再生される映像信号及び音声信号が含まれることを特徴とする請求項８記載の表示方法。
【請求項１２】
複数の映像信号及び音声信号を入力する信号入力工程と、
入力した映像信号を表示手段に表示する際、該表示手段の表示領域を主領域と少なくとも１つの副領域とに分割し、上記映像信号毎に各領域に割り当てる表示処理工程と、
上記表示領域における主領域又は副領域を選択する操作が行われる操作工程と、
上記操作工程にて選択された領域に表示される映像信号の送信元である電子機器を操作する操作信号を機器操作信号記憶手段から選択し上記電子機器に送信する操作信号送信工程と
を有することを特徴とする電子機器操作方法。
【請求項１３】
上記信号送信工程では、赤外線通信により上記操作信号が上記電子機器に出力されることを特徴とする請求項１２記載の電子機器操作方法。
【請求項１４】
上記信号生成工程では、ＳＩＲＣＳ（Serial Infrared Remote Control System）に基づいて操作信号が生成されることを特徴とする請求項１３記載の電子機器操作方法。
【請求項１５】
上記複数の映像信号及び音声信号は、互いに形式が異なる放送波にて搬送されることを特徴とする請求項１２記載の電子機器操作方法。
【請求項１６】
上記複数の映像信号及び音声信号には、記録媒体から再生される映像信号及び音声信号が含まれることを特徴とする請求項１２記載の電子機器操作方法。
【発明の詳細な説明】
【技術分野】
【０００１】
本発明は、表示装置及び表示方法、並びに電子機器操作方法に関し、特に、地上放送波、衛星放送波、通信衛星を介して送られる映像信号等を受信して表示するテレビジョン受像機のような表示装置及び表示方法、及び表示された映像信号の送信元である電子機器の操作を行う電子機器操作方法に関する。
【背景技術】
【０００２】
従来、テレビジョン受像機（以下、ＴＶと記す。）における画面表示の一機能として、画面の一角に他の一局の映像を子画面として表示するもの、１画面上に複数局の静止画像を同時に表示するもの等がある（例えば、特許文献１又は特許文献２参照。）。更に、他局映像を子画面として表示するのみならず、現在表示中の映像に対して、他局で放送されている複数の番組（裏番組）の内容をリアルタイムに確認しながら選局できるようにした技術も開示されている（例えば、特許文献３参照。）。
【０００３】
近年では、地上波放送、地上波デジタル放送、放送衛星による衛星放送（ＢＳ放送）、通信衛星放送（ＣＳ放送）、衛星デジタル放送、有線放送等のように放送提供メディアの種類が多様化し、これに伴って専用の放送波を受信するためのチューナ装置を内蔵したセットトップボックス（ＳＴＢ）等の受信機器が製造販売されている。そして、ユーザは、これらの受信機器をＴＶに接続すれば、各種放送が視聴できる。例えば、有線放送又は衛星放送等では、番組を提供する局の数（チャンネル数）も増加しており、多数のチャンネルからユーザが選択したチャンネルを従量課金制で提供する方式にみられるように、放送形態も多様化してきている。
【０００４】
そのため、仮に特許文献３に示された技術によって、ユーザが裏番組をリアルタイムに確認しながら選局できるようにしたとしても、例えば、チャンネルが数十にも及ぶ場合、各チャンネルの映像を分割表示すると、各チャンネルに割り当てられる領域は、ユーザが分割画面をみながら選局を行うことができない程度に極めて小さくなってしまう。また、ユーザが複数の放送提供メディアを利用しようとすれば、ＳＴＢ等の受信機器も増えてしまう。これら受信機器は、個々に設けられた操作部又は専用のリモートコントローラにて操作されるため、各受信機器の設定、チャンネル変更等を一括して操作することはできない。ユーザが複数の放送提供メディア間にわたってチャンネル変更をするには、複数のリモートコントローラを用いなければならず、放送提供メディアに対する操作入力が煩雑になるという問題も生じる。
【０００５】
【特許文献１】特開昭６２−１３００８０号公報
【特許文献２】特開昭６２−０２１３７９号公報
【特許文献３】特開平１１−１４６３００号公報
【発明の開示】
【発明が解決しようとする課題】
【０００６】
本発明は、接続された電子機器から送信される多数のチャンネルからユーザが所望のチャンネルを選択することを容易にするとともに接続される電子機器を一括操作することができる表示装置、及び接続された電子機器から送信される映像を領域に分割して表示する表示方法、並びに接続された電子機器から送信される多数のチャンネルからユーザが所望のチャンネルを選択することを容易にするとともに接続される電子機器を一括操作する電子機器操作方法を提供することを目的とする。
【課題を解決するための手段】
【０００７】
上述した目的を達成するために、本発明に係る表示装置は、外部より複数の映像信号及び音声信号を入力する信号入力手段と、入力した映像信号を表示する表示手段と、表示手段の表示領域を主領域と少なくとも１つの副領域とに分割し複数の映像信号を各領域に割り当てる表示処理手段と、表示領域における主領域又は副領域を選択する操作入力のための操作手段と、映像信号及び音声信号の送信元である電子機器を操作する操作信号を記憶する機器操作信号記憶手段と、操作手段にて選択された領域に表示される映像信号の送信元である電子機器を操作する操作信号を電子機器に送信する操作信号送信手段とを備え、操作手段にて選択された領域に表示される映像信号の送信元である電子機器を操作する操作信号を電子機器に送信する。
【０００８】
ここで、表示処理手段は、操作手段にて選択された領域を動画像にて表示し該選択領域以外の領域を静止画像にて表示する。
【０００９】
信号入力手段としては、主領域に表示される映像信号を含む放送波のチャンネルを選局する主選局手段と、副領域に表示される映像信号を含む放送波のチャンネルを選局する副選局手段とを用意する。複数の映像信号及び音声信号は、互いに形式が異なる放送波にて搬送される放送信号であってもよいし、記録媒体から再生されるものであってもよい。信号送信手段は、操作信号を赤外線信号として電子機器に出力する。赤外線信号としては、ＳＩＲＣＳ（Serial Infrared Remote Control System）に基づく信号を使用することができる。
【００１０】
また、本発明に係る表示方法は、複数の映像信号及び音声信号を入力する信号入力工程と、入力した映像信号を表示手段に表示する際、該表示手段の表示領域を主領域と少なくとも１つの副領域とに分割し、映像信号毎に各領域に割り当てて表示する表示処理工程とを有し、表示手段の表示領域を分割して複数の映像を表示する。
【００１１】
ここで、表示処理工程では、操作工程にて選択された領域が動画像にて表示され、該選択領域以外の領域が静止画像にて表示される。複数の映像信号及び音声信号は、互いに形式が異なる放送波にて搬送される放送信号であってもよいし、記録媒体から再生されるものであってもよい。
【００１２】
更にまた、本発明に係る電子機器操作方法は、複数の映像信号及び音声信号を入力する信号入力工程と、入力した映像信号を表示手段に表示する際、該表示手段の表示領域を主領域と少なくとも１つの副領域とに分割し、映像信号毎に各領域に割り当てる表示処理工程と、表示領域における主領域又は副領域を選択する操作が行われる操作工程と、操作工程にて選択された領域に表示される映像信号の送信元である電子機器を操作する操作信号を機器操作信号記憶手段より選択し電子機器に送信する操作信号送信工程とを有し、操作工程にて選択された表示領域における主領域又は副領域に表示される映像信号の送信元である電子機器を操作する操作信号を電子機器に送信する。
【００１３】
複数の映像信号及び音声信号は、互いに形式が異なる放送波にて搬送される放送信号であってもよいし、記録媒体から再生されるものであってもよい。信号送信工程では、操作信号を赤外線信号として電子機器に出力する。赤外線信号としては、ＳＩＲＣＳに基づく信号を使用することができる。
【発明の効果】
【００１４】
本発明に係る表示装置及び表示方法によれば、接続された電子機器から送信される多数のチャンネルからユーザが所望のチャンネルを選択することを容易にできる。また、本発明に係る電子機器操作方法によれば、映像信号及び音声信号の送信元である電子機器を操作する操作信号を電子機器に送信することにより、接続される電子機器を一括操作することができる。
【発明を実施するための最良の形態】
【００１５】
本発明に係る表示装置は、１つの表示領域を主領域（メイン画面とも記す。）と少なくとも１つの副領域（サブ画面とも記す。）とに分割して、分割された領域毎に異なる映像が表示可能な多画面機能を有する装置において、接続された外部機器に関連する操作を、この多画面機能を用いたＧＵＩ（グラフィカルユーザインターフェイス）によってユーザが容易に行えるようにしたものある。この表示装置は、ＢＳ放送チューナ装置、ＣＳ放送チューナ装置のような外部機器から複数の映像信号及び音声信号を入力し、主領域と少なくとも１つの副領域とに分割される表示領域にこれら複数の映像信号を割り当てて表示し、操作部においてユーザから指定された領域に表示される映像信号の送信元である電子機器を操作する操作信号を電子機器に送信することができる。本発明の具体例では、この表示装置を自身の内部にも少なくとも２つのチューナを備えるテレビジョン受像機（以下、ＴＶと記す。）に適用した例について説明する。
【００１６】
以下、本発明の一例として示す表示装置を適用したテレビジョン受像機（ＴＶ）１について図面を参照して詳細に説明する。
【００１７】
ＴＶ１は、図１に示すように、映像信号及び音声信号の入力系として、地上波アナログ放送の放送波を受信するアンテナ１１、アナログチューナ１２及びアナログチューナ１３と、他の機器にて受信された映像信号及び音声信号を入力する入力端子１４ａ、１４ｂ、１４ｃ及び１４ｄとを備えている。また、受信した映像信号及び音声信号を表示する処理を行う構成として、他の機器から入力した若しくは内蔵チューナにて受信した映像信号及び音声信号を選択するセレクタ１５、セレクタ１６、セレクタ１７と、音声信号を選択するオーディオセレクタ１８と、表示領域を分割して多画面表示処理を行う表示処理部１９と、他の機器を操作する操作信号を記憶する操作信号メモリ２０と、各種表示処理のための作業領域としてのＥＰＲＯＭ２１とを備えている。また、ＴＶ１は、出力系としてスピーカ２２と、表示デバイス２３と、映像信号及び音声信号を外部の機器に出力する出力端子２４とを備えている。更にＴＶ１は、外部との通信系として自身の操作信号を受信するリモコン信号受光部２５と、他の機器の操作信号を出力するリモコン信号出力部２６とを備えている。以上の各構成は、制御部２７によって統括管理されている。
【００１８】
上述した構成において、アナログチューナ１２、アナログチューナ１３は、地上波アナログ放送を受信するためのチューナであって、何れか一方があるチャンネルを受信しているときには、他方は別チャンネルを選択することができる。本具体例では、アナログチューナ１２がメイン画面に表示されるチャンネルを受信しているときにアナログチューナ１３がサブ画面表示用チューナとして使用される。
【００１９】
入力端子１４ａ、１４ｂ、１４ｃ、１４ｄに入力される信号の信号源としては、他の放送波を受信できる機器としてＢＳデジタル放送受信装置３１、地上波デジタル放送受信装置３２、ＣＳデジタル放送受信装置３３があげられる。また、放送波以外にもＤＶＤ（Digital Versatile Disc）、ＣＤ（Compact Disc）、ビデオテープ等の記録媒体から再生される信号であってもよい。ここでは、ＤＶＤ再生装置３４が接続されている。
【００２０】
また、セレクタ１５、セレクタ１６、セレクタ１７は、制御部２７に制御され、複数の映像信号及び音声信号からメイン画面に表示する信号、サブ画面に表示する信号、外部出力用の信号を選択している。ここでは、セレクタ１５がメイン画面表示用の信号を選択し、セレクタ１６がサブ画面表示用の信号を選択し、セレクタ１７が外部の記録装置に出力する出力専用の信号を選択している。また、オーディオセレクタ１８は、メイン画面又はサブ画面のうち選択された画面に表示された映像信号に対応する音声信号を選択してスピーカ２２に送っている。
【００２１】
表示処理部１９は、作業用メモリを内蔵しており、入力した映像信号をこのメモリに書き込む処理とこれを適宜読み出して表示デバイス２３に送る処理を行っている。これにより入力された複数の映像信号から多画面表示を実現できる。表示処理部１９は、また、画面への操作入力状態若しくは機器の状態を、いわゆるＯＳＤ（On Screen Display）として表示する機能及びＧＵＩ（グラフィカルユーザインターフェイス）も備えている。更に表示処理部１９は、メイン画面の画面サイズ及び画面表示位置、サブ画面の画面サイズ及び画面表示位置等を決定している。表示デバイス２３としては、ＣＲＴディスプレイ、液晶ディスプレイ、プラズマディスプレイ等を使用することができる。表示処理部１９によって決められた画面サイズ、画面表示位置等は、表示処理のための作業領域としてのＥＰＲＯＭ２１に記憶される。
【００２２】
操作信号メモリ２０には、入力信号の信号源であるＢＳデジタル放送受信装置３１、地上波デジタル放送受信装置３２、ＣＳデジタル放送受信装置３３、ＤＶＤ再生装置３４、及び出力先の機器を操作するための操作信号が記憶されている。操作信号としては、専用帯域を使用した無線通信方式、いわゆるブルートゥース（Bluetooth（登録商標））のような近距離無線通信方式、ＩｒＤＡ（Infrared Data Association）にて規格化された赤外線通信方式の信号形式を使用することができるが、これらの装置は、リモートコントローラ（以下、リモコンと記す。）によって遠隔操作可能になっているのが一般的であるため、操作信号としてリモコン信号を使用する。本具体例ではリモコン専用赤外線通信方式である、いわゆるＳＩＲＣＳ（Serial Infrared Remote Control System）形式に基づくリモコン信号を使用する。したがって、リモコン信号受光部２５は、ＴＶ１を遠隔操作するためのリモコン信号を受け取る受光デバイスであって、リモコン信号出力部２６は、制御部２７に制御されて、ＢＳデジタル放送受信装置３１、地上波デジタル放送受信装置３２、ＣＳデジタル放送受信装置３３、ＤＶＤ再生装置３４、及び出力先の機器にリモコン信号を送信する発光デバイスである。
【００２３】
操作信号メモリ２０には、機器を製造するメーカ、機種等に応じて複数パターンの操作信号が用意されている。図示しないがＴＶ１には、ユーザがこのＴＶ１を購入した時点で操作信号メモリ２０に記憶されたＳＩＲＣＳコードから接続機器の操作信号を有効にする設定モードが用意されている。
【００２４】
続いて、上述した構成を有するＴＶ１における映像信号及び音声信号の流れを説明する。アナログチューナ１２、アナログチューナ１３にて選局された地上波アナログ映像信号と、入力端子１３にて入力される外部の受信装置からの信号は、パラレルにセレクタ１５、セレクタ１６、セレクタ１７に入力される。セレクタ１５及びセレクタ１６からは、制御部２７にて指定された映像信号がそれぞれメイン画面表示用映像信号、サブ画面表示用映像信号として出力され表示処理部１９に入力される。表示処理部１９は、制御部２７に制御されてメイン画面の画面サイズ及び画面表示位置、サブ画面の画面サイズ及び画面表示位置等を決定する処理を行い、これによって作成された多画面の映像が表示デバイス２３に出力される。
【００２５】
表示デバイス２３に表示される多画面の例を図２に示す。表示デバイス２３の表示領域１００は分割され、メイン画面１０１とサブ画面１０２〜サブ画面１０６が表示されている。図２では、地上波アナログ映像信号がメイン画面１０１に表示され、地上波アナログ放送がサブ画面１０２に表示され、ＢＳデジタル放送がサブ画面１０３に表示され、地上波デジタル放送がサブ画面１０４に表示され、ＣＳデジタル放送がサブ画面１０５に表示される。また、ＤＶＤ再生装置３４の再生信号がサブ画面１０６に表示される。
【００２６】
また、ＴＶ１では、選択された画面の表示枠の色を変更する、或いは選択されている画面を指し示すカーソル等を表示するＧＵＩによって、ユーザは画面上の選択操作でこのＴＶ１の操作又は接続されるほかの機器に対する操作を行うことができる。図２では、選択されていることを示すカーソルがメイン画面に合わせられている。表示デバイスの表示領域には、このほかにメイン画面の設定状態を示すＯＳＤ１０７と、録画出力として選択されているサブ画面の設定状態を示すＯＳＤ１０８とが表示されている。
【００２７】
また、音声信号は、セレクタ１５、セレクタ１６、セレクタ１７にて映像信号と同様に選択される。セレクタ１５、セレクタ１６にて選択された音声信号は、オーディオセレクタ１８に送られ、オーディオセレクタ１８では、制御部２７に制御され、メイン画面又はサブ画面に表示される画像のうち、指定された音声信号がスピーカ２２から出力される。
【００２８】
本具体例では、ＴＶ１と、ＴＶ１に接続されるＢＳデジタル放送受信装置３１、地上波デジタル放送受信装置３２、ＣＳデジタル放送受信装置３３、ＤＶＤ再生装置３４等の機器に対する殆どの操作指示は、ＴＶ１を操作するリモートコントローラから行うことができる。ここで、ＴＶ１を操作するリモートコントローラ（以下、リモコンと記す。）４０について図３を用いて説明する。
【００２９】
リモコン４０は、図３に示すように、主として少なくとも上下左右を選択する選択キー４１ａ、４１ｂ、４１ｃ、４１ｄと、選択結果を決定する決定キー４２と、選択結果を訂正するための取消キー４３とを有している。このほかに、電源をオンオフする電源キー４４、チャンネルを直接指定する数字キー或いは文字入力等に使用するアルファベットキー等のキー群４５を有している。キーのなかには、メイン画面又はサブ画面に表示する映像信号を提供する機器を選択するキーも含まれる。リモコン４０は、図示しない位置に赤外線発光部を備えており、ＳＩＲＣＳ形式に基づいた信号がＴＶ１に対して送信される。
【００３０】
次に、本発明の具体例として示す表示装置を適用したＴＶ１によって接続されるほかの機器から入力される映像信号及び音声信号を表示デバイス２３の分割領域に表示する処理について、図４及び図５を用いて説明する。図４及び図５に示す処理は、ユーザによってメイン画面が選択されているとき、すなわち画面を指定するカーソルがリモコン等によってメイン画面におかれているときにサブ画面の静止画像を順次更新しながら表示する処理である。これは、選択されたチャンネル（又は選択された外部機器から送信されるチャンネル）をメイン画面に表示し、他のチャンネル（又は選択された外部機器から送信されるほかのチャンネル）サブ画面に表示する通常の表示処理である。
【００３１】
制御部２７は、ステップＳ１として、セレクタ１６にてサブ表示用のアナログチューナ１３にて選択されたチャンネルの信号を選択する。ステップＳ２において、制御部２７は、表示処理部１９によって表示領域１００におけるサブ画面１０２の画面表示位置と画面サイズを設定し表示処理部１９に内蔵されるメモリへの書込開始位置を求める。ステップＳ３において、サブ画面１０２の画像読出位置と画面サイズを設定し表示処理部１９に内蔵されるメモリからの読出開始位置を設定する。ステップＳ４において、制御部２７からの指示によって表示処理部１９への書込を開始し、ステップＳ５において、表示処理部１９からの読出を開始する。ステップＳ６において、制御部２７は、表示処理部１９に対して、書込と読出の停止を指示する。ステップＳ１からステップＳ６によりサブ画面１０２に地上波アナログ放送の静止画像が表示される。
【００３２】
続いて、サブ画面１０３について同様の処理が実行される。ステップＳ７において、制御部２７は、セレクタ１５にてＢＳデジタル放送受信装置３１にて選択されたチャンネルの信号を選択する。ステップＳ８において、制御部２７は、表示処理部１９によって表示領域１００におけるサブ画面１０３の画面表示位置と画面サイズを設定し表示処理部１９に内蔵されるメモリへの書込開始位置を求める。ステップＳ９において、サブ画面１０３の画像読出位置と画面サイズを設定し表示処理部１９に内蔵されるメモリからの読出開始位置を設定する。ステップＳ１０において、制御部２７からの指示によって表示処理部１９は書込を開始し、ステップＳ１１において、表示処理部１９は読出を開始する。ステップＳ１２において、制御部２７は、表示処理部１９に対して、書込と読出の停止を指示する。ステップＳ７からステップＳ１２によりサブ画面１０３にＢＳデジタル放送の静止画像が表示される。
【００３３】
同様にして、サブ画面１０４〜サブ画面１０６について同様の処理が実行される。ステップＳ１３〜ステップＳ１８、図５に続くステップＳ１９〜ステップＳ２４、図５のステップＳ２５〜ステップＳ３０は、ステップＳ１〜ステップＳ６に対応している。このように順番にサブ画面に表示する映像の処理が実行され、一通り表示処理が終了すると、サブ画面１０２の表示処理から繰り返されるようになっている。すなわち、メイン画面に選択されたチャンネルが放送されている間、サブ画面にはアナログチューナ１２、アナログチューナ１３、ＢＳデジタル放送受信装置３１、地上波デジタル放送受信装置３２、ＣＳデジタル放送受信装置３３、ＤＶＤ再生装置３４から送られる映像が静止画像として所定周期で順次更新されながら表示されていることになる。
【００３４】
以上の処理により、サブ画面１０２に地上波アナログ放送のチャンネルが表示され、サブ画面１０３にＢＳデジタル放送が表示され、サブ画面１０４に地上波デジタル放送が表示され、サブ画面１０５にＣＳデジタル放送が表示され、サブ画面１０６にＤＶＤ再生装置からの再生映像が表示される。また制御部２７は、各デバイスを制御してサブ画面に表示される電子機器からの映像が所定時間毎に順次更新される。これによりユーザは、メイン画面をみながらサブ画面上にも順次更新される画像をみることができる。
【００３５】
ＴＶ１は、図４及び図５の処理によってメイン画面及びサブ画面が表示されている状態にあるときにユーザからサブ画面のチャンネル変更指示を受けると、カーソルが移動されたサブ画面を動画にて表示する。ユーザが図２の表示状態からリモコン４０を操作して、ＧＵＩとして表示されるカーソルをサブ画面に移動した場合について、図６乃至図９を用いて説明する。カーソルの移動は、リモコン４０の上下左右キーによって指示される。例えば、右キー４１ｄによりカーソルをメイン画面からサブ画面１０２に移動する。続いて上下キー４１ａ、４１ｂにてサブ画面１０２からサブ画面１０６の間を移動させる。サブ画面を選択しているカーソルは、左キー４１ｃによってメイン画面に移動させることができる。
【００３６】
右キー４１ｄによりカーソルをメイン画面からサブ画面１０２に移動させる指示が与えられた場合の処理を図６に示す。制御部２７は、カーソル移動の信号を受信すると、ステップＳ４１において表示処理部１９に対して書込と読出の停止を指示する。ステップＳ４２において、表示処理部１９にカーソルの表示位置をメイン画面１０１からサブ画面１０２に変更する指示を与える。次に制御部２７は、ステップＳ４３においてセレクタ１６にてサブ表示用のアナログチューナ１３にて選択されたチャンネルの信号を選択する。ステップＳ４４において、制御部２７は、表示処理部１９によって表示領域１００におけるサブ画面１０２の画面表示位置と画面サイズを設定し表示処理部１９に内蔵されるメモリへの書込開始位置を求める。ステップＳ４５において、サブ画面１０２の画像読出位置と画面サイズを設定し表示処理部１９に内蔵されるメモリからの読出開始位置を設定する。ステップＳ４６において、制御部２７からの指示によって表示処理部１９への書込を開始し、ステップＳ４７において、表示処理部１９からの読出を開始する。
【００３７】
続いて上下キー４１ａ、４１ｂによりカーソルをサブ画面１０２からサブ画面１０６の間を移動させる指示が与えられた場合の処理を図７に示す。制御部２７は、カーソル移動の信号を受信すると、ステップＳ５１において表示処理部１９に対して書込と読出の停止を指示する。ステップＳ５２において、表示処理部１９にカーソルの表示位置をサブ画面１０２からサブ画面１０３に変更する指示を与える。次に制御部２７は、ステップＳ５３においてセレクタ１６にてＢＳデジタル放送受信装置３１にて選択されたチャンネルの信号を選択する。ステップＳ５４において、制御部２７は、表示処理部１９によって表示領域１００におけるサブ画面１０３の画面表示位置と画面サイズを設定し表示処理部１９に内蔵されるメモリへの書込開始位置を求める。ステップＳ５５において、サブ画面１０３の画像読出位置と画面サイズを設定し表示処理部１９に内蔵されるメモリからの読出開始位置を設定する。ステップＳ５６において、制御部２７からの指示によって表示処理部１９への書込を開始し、ステップＳ５７において、表示処理部１９からの読出を開始する。
【００３８】
また、左キー４１ｃによってカーソルをメイン画面に移動させる指示が与えられた場合には、制御部２７は、表示処理部１９に対して書込と読出の停止を指示し、表示処理部１９にカーソルの表示位置をサブ画面１０３からメイン画面１０１に変更する指示を与える。この後は、図４に示した処理が実行される。
【００３９】
更に、例えば図２に示した表示状態から、図８に示すようにユーザがリモコン４０からの操作によってＧＵＩとして表示されるカーソルをサブ画面１０３に移動したところでサブ画面１０３のチャンネルを変更する要求のためのキー操作が行われた場合には、ＴＶ１は、サブ画面１０３に表示される映像信号の送信元である機器に対してチャンネル変更を操作する信号を送信する。このときの処理を図９に示す。
【００４０】
カーソルがサブ画面１０３に合わされた状態でリモコン４０からチャンネル変更要求のためのキー操作がされると、ＴＶ１における制御部２７は、ステップＳ６１として、リモコン４０からリモコン信号を受信すると、ステップＳ６２にて、リモコン信号をデコードする。ステップＳ６３において、制御部２７は、カーソルによって選択されたサブ画面から送信元の受信装置を判別し、ＢＳデジタル放送受信装置３１のチャンネル変更信号を表すＳＩＲＣＳコードを抽出する。制御部２７は、ステップＳ６４において、抽出したＳＩＲＣＳコードをリモコン信号出力部２６から送信する。
【００４１】
外部に出力するチャンネルを選択する場合には、図１０に示すように、ステップＳ７１において、制御部２７は、カーソルで選択されたサブ画面に表示される映像信号の送信元となっている受信装置を判別し、ステップＳ７２において、セレクタ１７にてＢＳデジタル放送受信装置３１からの映像信号を選択し出力する。次に、ステップＳ７３において、制御部２７は、ＥＰＲＯＭ２１に出力端子２４から出力する信号の情報を記憶し、ステップＳ７４において、ＯＳＤ１０８に表示する出力信号情報を書き換える。
【００４２】
これによりユーザは、複数の映像を同時にみながら視聴したい番組を選択できるとともに、録画のために外部の機器に出力する映像を選択することができる。サブ画面の選択方法は、カーソル表示のほか選択された画面をＯＳＤによるマーク表示によって指し示す方法、文字等で選択された画面を表示する方法等があげられる。そのほかのＯＳＤ表示でもよい。
【００４３】
また、チャンネル変更だけでなく、カーソルにてサブ画面を選択することによって、選択されたサブ画面に映像信号を送っている装置のほかの設定も変更することができる。この場合には、設定変更のためのリモコン信号が操作信号メモリ２０から選択される。
【産業上の利用可能性】
【００４４】
本発明の表示装置は、上述した具体例のように、テレビジョン受像機の表示部分に適用できるほか、複数の装置から映像信号を入力して一括表示するような場合に活用することができる。
【図面の簡単な説明】
【００４５】
【図１】本発明の具体例として示す表示装置を適用したテレビジョン受像機（ＴＶ）を説明する構成図である。
【図２】上記ＴＶの表示デバイスに表示される複数画面表示を説明する図である。
【図３】上記ＴＶを操作するリモートコントローラを説明する図である。
【図４】上記ＴＶに接続されるほかの機器から入力される映像信号及び音声信号を表示デバイス２３の分割領域に表示する処理を説明する図である。
【図５】上記ＴＶに接続されるほかの機器から入力される映像信号及び音声信号を表示デバイス２３の分割領域に表示する処理を説明する図である。
【図６】図３に示すリモートコントローラの右キーによりカーソルをメイン画面からサブ画面に移動させる指示が与えられた場合の処理を説明する図である。
【図７】図３に示すリモートコントローラの上下キーによりカーソルをサブ画面領域の上下に移動させる指示が与えられた場合の処理を説明する図である。
【図８】図３に示すリモートコントローラの左キーによってカーソルをメイン画面に移動させる指示が与えられた場合の処理を説明する図である。
【図９】カーソルを移動してサブ画面を選択するところを模式的に示す図である。
【図１０】カーソルを移動して出力する映像信号を指定する処理を説明する図である。
【符号の説明】
【００４６】
１    テレビジョン受像機（ＴＶ）、  １１    アンテナ、  １２，１３    アナログチューナ、  １４    入力端子、  １５，１６，１７    セレクタ、  １８    オーディオセレクタ、  １９    表示処理部、  ２０    操作信号メモリ、  ２１    ＥＰＲＯＭ、  ２２    スピーカ、  ２３    表示デバイス、  ２４    出力端子、  ２５    リモコン信号受光部、  ２６    リモコン信号出力部、  ２７    制御部
【図１】
2005269113.tif 000003
【図２】
2005269113.tif 000004
【図３】
2005269113.tif 000005
【図４】
2005269113.tif 000006
【図５】
2005269113.tif 000007
【図６】
2005269113.tif 000008
【図７】
2005269113.tif 000009
【図８】
2005269113.tif 000010
【図９】
2005269113.tif 000011
【図１０】
2005269113.tif 000012